(57)【要約】【課題】折り畳み式携帯電話機を片手で把持しながら、同手の親指によるボタン操作性の向上を図る携帯電話機の指掛けストラップを提供すること。【解決手段】表示画面１１ａ等を有する第１部材１１と、操作ボタン１２ａ等を有する第２部材１２とが折り畳み可能に設けられた携帯電話機１０の第２部材１２の下方部に取り付けられる携帯電話機用指掛けストラップを、、指輪状に形成されたリング３２と、このリング３２を第２部材１２の下方部に所定長さをおいて取り付ける連結手段３１とで構成して、電話機１０の使用時にはリング３２に親指以外の指２５を通してボタン操作する。【選択図】  図２
2005034526.tif 000002
【特許請求の範囲】
【請求項１】
表示画面等を有する第１部材と、操作ボタン等を有する第２部材とが折り畳み可能に設けられた携帯電話機の前記第２部材の下方部に取り付けられる携帯電話機用指掛けストラップであって、指輪状に形成されたリングと、該リングを前記第２部材の下方部に所定長さをおいて取り付ける連結手段とで構成され、電話機の使用時には前記リングに親指以外の指を通してボタン操作できることを特徴とする携帯電話機用指掛けストラップ。
【請求項２】
前記連結手段が長さ調節可能であることを特徴とする請求項１に記載の携帯電話機用指掛けストラップ。
【請求項３】
前記連結手段が伸縮自在であることを特徴とする請求項１又は２に記載の携帯電話機用指掛けストラップ。
【発明の詳細な説明】
【技術分野】
【０００１】
本発明は、携帯電話機に関し、特に、折り畳み式携帯電話機を片手で把持しながらの同手の親指によるボタン操作性を向上させる携帯電話機用指掛けストラップに関するものである。
【背景技術】
【０００２】
近年、市販される携帯電話機は、例えば図４に示すような折り畳み式のものが主流になってきている。この折り畳み式携帯電話機１０は、表示画面１１ａ等を有する第１部材１１と、操作ボタン１２ａ等を有する第２部材１２が回動軸１３を介して折り畳み可能に設けられており、片手で使用する時には、通常、図示されるように手の平２０の上に第２部材１２を置いて、親指２１の付け根２１ａと他の指２２，２３，２４，２５とにより第２部材１２を側方から把持して、親指２１によるボタン操作が行われる。
【０００３】
【特許文献１】実用新案登録第３０６２７２７号
【特許文献２】実用新案登録第３０７１４２１号
【発明の開示】
【発明が解決しようとする課題】
【０００４】
この折り畳み式携帯電話機１０の第１部材１１の表示画面１１ａは、年々大画面化の傾向があり、このようなタイプの携帯電話機１０の幅方向のサイズ縮小が困難にしているため、折り畳み式タイプでない一体型の携帯電話機よりも幅広となっており、一般的に折り畳み式タイプでないものと比べて手の平で把持しにくく持ちにい。
【０００５】
その上、このような折り畳み式携帯電話機１０の片手によるボタン操作における持ち方では、手の平２０から表示画面１１ａを有する第１部材１１のほとんどが外側に突出している状態であるためバランスが悪く、その第１部材１１の重みにより、把持力が弱いと第１部材１１側から倒れてすべり落としてしまう。
【０００６】
これを防止するには、ある程度親指の付け根２１ａを第２部材１２の側面に強く密着させる必要があるが、親指の付け根２１ａのこのような第２部材１２への密着は、その親指２１によるボタン操作の自由度を阻害するという問題があり、特に、この場合の右手では、親指の付け根２１ａに近い番号ボタン０，９，♯などへの入力操作がやりづらかった。
【０００７】
本発明の解決する課題は、折り畳み式携帯電話機を片手で把持しながら、同手の親指によるボタン操作性の向上を図る携帯電話機の指掛けストラップを提供することである。
【課題を解決するための手段】
【０００８】
この課題を解決するため本発明に係る携帯電話機用指掛けストラップは、表示画面等を有する第１部材と、操作ボタン等を有する第２部材とが折り畳み可能に設けられた携帯電話機の前記第２部材の下方部に取り付けられる携帯電話機用指掛けストラップであって、指輪状に形成されたリングと、該リングを前記第２部材の下方部に所定長さをおいて取り付ける連結手段とで構成され、電話機の使用時には前記リングに親指以外の指を通してボタン操作できることを要旨とするものである。
【０００９】
この場合、前記連結手段が長さ調節可能である構成にすると良い。さらに、前記連結手段が伸縮自在である構成にすると良い。
【発明の効果】
【００１０】
上記構成を有する携帯電話機用指掛けストラップによれば、表示画面等を有する第１部材と、操作ボタン等を有する第２部材とが折り畳み可能に設けられた携帯電話機の前記第２部材の下方部に所定長さの連結手段を介して指輪状に形成されたリングを取り付けることにより、電話機の使用時には前記リングに親指以外の指、例えば小指などを通すことで、表示画面を有する第１部材の重さによる手の平から倒れ落ちる力に対向できるので、把持力が弱くて滑り落ちたりすることが防止され、第２部材を手の平の上に留めて置くことができる。これにより、親指の付け根の第２部材への把持による密着が解除されるので、親指によるボタン操作の自由度が増すことにより、操作性が向上して折り畳み式携帯電話機が使い易くなる。
【００１１】
特に、電話機を手の平からすべり落とす心配がないので、親指の付け根近傍に位置するメールや番号の入力時に使う操作ボタンの操作性向上が顕著になるという効果がある。この場合、前記連結手段が長さ調節可能である構成、例えば複数の孔が穿設されたベルトなどにすれば、使用者の手の大きさに合せたリング位置の調整が可能になり便利である。さらには、前記連結手段が伸縮自在である構成、例えば、伸縮性を有するゴム若しくは樹脂で成形された紐状部材にすれば、第２部材に対するリング位置をフレキシブルにして使い易く、その引張り力によりリングを通した指への密着性を高めることも可能になる。
【発明を実施するための最良の形態】
【００１２】
以下に、本発明に係る携帯電話機用指掛けストラップの実施の形態について図１〜３を参照して詳細に説明する。
【００１３】
図１に示されるように、携帯電話機１０は、表示画面１１ａ等を有する第１部材１１と、操作ボタン１２ａ等を有する第２部材１２とが折り畳み可能に回動軸１３で連結されたもので、使用時には図示されるように開いた状態になる。
【００１４】
上側に位置する第１部材１１の表示画面１１ａは液晶パネルで構成されており、各種態様が表示される。その表示画面１１ａの上方には、音声出力部１１ｂが設けられている。近年、この表示画面１１ａは大画面化の傾向があるため、第１部材１１自体の重量増にもなっている。
【００１５】
下側に位置する第２部材１２の操作ボタン１２ａには各種ボタンが含まれている。その上部中央には表示画面１１ａの画面切り替えのためのファンクションボタンＦ、その左右にはインターネット画面へのショートカットボタン１２ｂ、メール入力画面へのショートカットボタン１２ｃ、通話ボタン１２ｄ、通話切断と兼用の電源ボタン１２ｅが配置されている。これらの下方には、番号又はかな入力のための番号０〜９及び記号♯，※などのボタンが４行３列に配置されており、図示される親指２１の先端は番号５に触れている状態である。これら番号ボタンの下方には音声入力部１２ｆが設けられている。
【００１６】
そして、本発明に係る携帯電話機用指掛けストラップ３０は、この第２部材１２の下端に取付けられている。第２部材１２の下端に形成されたフック１２ｇには、所定長さの紐状部材３１の一端が係合しており、他端は指輪状に形成されたリング３２に係合して、このリング３２を第２部材１２の下方部に連結している。リング３２は金属材料又は樹脂材料等により成形されたもので、紐状部材３１は、糸などの非伸縮性材料によるものである。
【００１７】
このような構成の携帯電話機の指掛けストラップ３０を予め第２部材１２の下端に取り付け、使用時には、例えば図示されるような小指２５に通して用いる。このような第１部材１１と第２部材１２とからなる折り畳み式携帯電話機１０の片手によるボタン操作における持ち方では、手の平２０から表示画面１１ａを有する第１部材１１のほとんどが外側に突出している状態であるためバランスが悪く、その第１部材１１の重みにより、把持力が弱いと第１部材１１側からすべり落としてしまうが、指掛けストラップ３０により第２部材１２の下端と小指が繋がっているので、親指の付け根２１ａの第２部材１２への把持による密着を、図２に示すように解除しても、携帯電話機１０は手の平からすべり落ちたりしない。
【００１８】
本発明に係る指掛けストラップ３０を使用時に用いると、親指の付け根２１ａによる把持の必要がなくなるので、親指２１によるボタン操作の自由度が増して、このような折り畳み式携帯電話機１０の使い易さが非常によくなる。
【００１９】
特に、操作性が悪かった親指の付け根近傍に位置するメール等に使う番号ボタン１〜９などへの親指２１による入力時の操作性が飛躍的に向上するという顕著な効果がある。
【００２０】
このような指掛けストラップ３０の他の実施形態としては、この場合、連結手段としての紐状部材３１が伸縮自在である構成、例えば、伸縮性を有するゴム若しくは樹脂で形成されたものにすれば、第２部材１２に対するリング３２位置をフレキシブルにして使い易さが向上する上に、その引張り力によりリングを通した指への第２部材の密着性を高めることも可能になる。
【００２１】
また、連結手段を上述した紐状部材３１ではなく、長さ調節可能である構成、例えば、図３に示すような、複数の孔３３ａが穿設されたベルト３３を用いたものにすれば、使用者の手の大きさに合せたリング３２の位置の調整が可能になり便利である。
【００２２】
尚、本発明はこうした実施形態に何ら限定されるものではなく、本発明の要旨を逸脱しない範囲において、種々なる態様で実施できることは勿論である。例えば、上述した実施例では、連結手段としての紐状部材の一端を第２部材の下端に取り付けた構成を示したが、第２部材の裏面や側面等に取り付けた構成であっても勿論よく、また、取り付け構造も実施例のようには限定されない。適用される携帯電話機についても、実施例のような回動軸による折り畳み式タイプには限定されず、種々なるタイプの回動構造を有する折り畳み式電話機に適用できることは勿論である。
【００２３】
更に、指輪状に形成したリングは、輪が閉じてなくても指から容易に抜け落ちない形状であればよく、飾り付けしたものなど種々なる形状のものを用いることができる。また、輪の大きさも複数本の指が通るような大きさにしてもよい。
【図面の簡単な説明】
【００２４】
【図１】本発明の一実施形態に係る携帯電話機用指掛けストラップの使用状態を示した図である。
【図２】図１の親指の状態を変化させた使用状態を示した図である。
【図３】本発明の他の実施形態に係る携帯電話機用指掛けストラップの使用状態を示した図である。
【図４】従来行われていた折り畳み式携帯電話機の片手操作の状態を示した図である。
【符号の説明】
【００２５】
１０  折り畳み式携帯電話機
１１  第１部材
１１ａ  表示画面
１１ｂ  音声出力部
１２  第２部材
１２ａ  操作ボタン
１２ｂ  ショートカットボタン
１２ｃ  ショートカットボタン
１２ｄ  通話ボタン
１２ｅ  電源ボタン
１２ｆ  音声入力部
１３  回動軸
２０  手の平
２１  親指
２１ａ  親指の付け根
２２  人差し指
２３  中指
２４  薬指
２５  小指
３０  携帯電話機用指掛けストラップ
３１  紐状部材
３２  リング
３３  ベルト
３３ａ  孔
【図１】
2005034526.tif 000003
【図２】
2005034526.tif 000004
【図３】
2005034526.tif 000005
【図４】
2005034526.tif 000006